(57)【要約】【課題】モジュールにアンテナを組み込む際、前面方向の受信性能を一層向上させることができるテレビジョン装置を提供する。【解決手段】液晶パネル１６ｂのビューエリア３２を取り囲むように配置されると共に前後方向に向かって開口するスロットアンテナ３４が形成された金属製の枠部３６を具備した液晶モジュール３０を備える液晶テレビジョン装置１０において、スロットアンテナ３４における電波の指向性を前方側に向ける手段としてスロットアンテナ３４の後方に備えられると共にスロットアンテナ３４側が開口された共振箱３８を液晶モジュール３０に備える。【選択図】図３
2009094864.tif 000002
【特許請求の範囲】
【請求項１】
表示パネルのビューエリアを取り囲むように配置されると共に前後方向に向かって開口するスロットアンテナが形成された金属製の枠部を具備したモジュールを備えるテレビジョン装置において、
上記スロットアンテナにおける電波の指向性を前方側に向ける手段を上記モジュールに備えることを特徴とするテレビジョン装置。
【請求項２】
上記手段は、上記スロットアンテナの後方に備えられた反射板であることを特徴とする請求項１に記載のテレビジョン装置。
【請求項３】
上記手段は、上記スロットアンテナの後方に備えられると共に該スロットアンテナ側が開口された共振箱であることを特徴とする請求項１に記載のテレビジョン装置。
【請求項４】
表示パネルのビューエリアを取り囲むように金属製の枠部が配置されたモジュールを備えるテレビジョン装置において、
前後方向に向かって開口するスロットアンテナが形成された金属板を上記枠部の前方側に備えることを特徴とするテレビジョン装置。
【請求項５】
表示パネルのビューエリアを取り囲むように配置されると共に外周側が山部を前方側としてＬ字状に折り曲げられた金属製の枠部を具備したモジュールと、
上記枠部におけるＬ字状の両面に跨るように開口部が形成されたスロットアンテナと、
を備えることを特徴とするテレビジョン装置。
【請求項６】
上記スロットアンテナにおける電波の指向性を前方側に向ける手段を上記モジュールに備えることを特徴とする請求項５に記載のテレビジョン装置。
【請求項７】
上記手段は、上記スロットアンテナの後方に備えられた反射板であることを特徴とする請求項６に記載のテレビジョン装置。
【請求項８】
上記手段は、上記スロットアンテナの後方に備えられると共に該スロットアンテナ側が開口された共振箱であることを特徴とする請求項６に記載のテレビジョン装置。
【請求項９】
上記スロットアンテナの長辺は、上記枠部の周方向に沿って受信電波の半波長分の長さとされることを特徴とする請求項１乃至８の何れかに記載のテレビジョン装置。
【請求項１０】
上記スロットアンテナは、少なくとも上記モジュールの左右両側の何れか一方に設けられることを特徴とする請求項９に記載のテレビジョン装置。
【請求項１１】
上記スロットアンテナは、少なくとも上記モジュールの上下両側の何れか一方に設けられることを特徴とする請求項９に記載のテレビジョン装置。
【請求項１２】
上記スロットアンテナは、上記モジュールの左右両側にそれぞれ複数個設けられ、
上記スロットアンテナの長辺は、上記枠部の周方向に沿って受信電波の半波長分の長さとされ、
上記手段は、上記スロットアンテナの後方に備えられると共に該スロットアンテナ側が開口された共振箱であり、
上記モジュールは、液晶パネルを備えた液晶モジュールであることを特徴とする請求項１に記載のテレビジョン装置。 
【発明の詳細な説明】
【技術分野】
【０００１】
本発明は、表示パネルのビューエリアを取り囲むように金属製の枠部が配置されたモジュールを備えるテレビジョン装置に関する。
【背景技術】
【０００２】
表示パネル等がモジュール化されたモジュールを筐体に収納するテレビジョン装置がよく知られている。例えば、図７は液晶テレビジョン装置１を示す分解斜視図であり、図８は液晶モジュール２の構造を示す分解斜視図である。
図７、８において、液晶テレビジョン装置１は、液晶モジュール２と、筺体３とを主体として構成されている。
液晶モジュール２は、例えばベゼル２ａ、液晶パネル２ｂ、拡散板２ｃ、反射フレーム２ｄ、放電管の一種である冷陰極蛍光管（ＣＣＦＬ）が用いられたバックライト２ｅ、反射シート２ｆ、および背面板金２ｇを主体としてモジュール化された構成である。また、液晶モジュール２にはその補強として、液晶モジュール２の背面に柱状のシャーシブラケット４ａ、４ｂがネジ止めされている。さらに、液晶モジュール２の背面には、電源回路等の各回路が実装された各種回路基板５が固定されている。
拡散板２ｃと液晶パネル２ｂとベゼル２ａとは、反射フレーム２ｄの前面に合わせて順に戴置され、ベゼル２ａにより液晶パネル２ｄと拡散板２ｃとが反射フレーム２ｄの前面に固定される。
反射フレーム２ｄは、例えば前後に浅く形成されて前面および後面を開口した略直方体形状の板金で形成された箱体であり、液晶パネル２ｂのビューエリアを取り囲むように配置された金属製の枠部６を備えている。
筺体３は、例えばフロントキャビネット３ａとリアキャビネット３ｂとから構成されている。フロントキャビネット３ａは、前面に映像を表示するための開口部を有しており、液晶モジュール２がこのフロントキャビネット３ａにネジ止めされた後、フロントキャビネット３ａにリアキャビネット３ｂが組み付けられることにより液晶テレビジョン装置１を構成する各構成品を収容する。
【０００３】
上記のように構成された液晶テレビジョン装置１において、例えば前後方向に向かって開口するスロットアンテナを反射フレーム２ｄの枠部６に形成することで、液晶テレビジョン装置１とは別にアンテナを設置する必要性をなくしてアンテナ配線を不要とすることが考えられる。
【０００４】
例えば、特許文献１には、金属からなる液晶パネルの外枠を加工し、厚さ方向に貫通したスロットアンテナを形成することで、アンテナ後付けの必要がなく安定したアンテナ特性を得ることが開示されている。
【０００５】
また、特許文献２には、液晶視認用開口の周縁部に設けられた補強フレームは、アンテナとして使用可能であることが開示されている。
【０００６】
また、特許文献３には、液晶ディスプレイを保持する枠本体をアンテナが形成されたプリント基板に固定することが開示されている。
【０００７】
また、特許文献４には、携帯型情報処理装置の表示部側方を覆うカバーを設け、そのカバー内に通信用アンテナを収容することが開示されている。
【特許文献１】特開２００６−６７０６１号公報
【特許文献２】特許第３８５０８４７号公報
【特許文献３】特開平９−１４６１１４号公報
【特許文献４】特開２００３−２０２９３８号公報
【発明の開示】
【発明が解決しようとする課題】
【０００８】
しかしながら、特許文献１に示されるように厚さ方向に貫通したスロットアンテナを形成することで、受信する電波の指向性を前方側に向けることができ、前面方向の受信性能を向上することができるものの、この構成では前方側と同様に後方側へも指向性が向けられることから前面方向の受信感度が不足する可能性があった。
【０００９】
本発明は上記課題に鑑みて為されたもので、その目的とするところは、モジュールにアンテナを組み込む際、前面方向の受信性能を一層向上させることができるテレビジョン装置を提供することにある。
【課題を解決するための手段】
【００１０】
上記目的を達成するための請求項１に記載の発明は、表示パネルのビューエリアを取り囲むように配置されると共に前後方向に向かって開口するスロットアンテナが形成された金属製の枠部を具備したモジュールを備えるテレビジョン装置において、上記スロットアンテナにおける電波の指向性を前方側に向ける手段を上記モジュールに備える構成としてある。
【００１１】
上記のように構成された本発明のテレビジョン装置において、表示パネルのビューエリアを取り囲む金属製の枠部に形成された前後方向に向かって開口するスロットアンテナにおける電波の指向性を前方側に向ける手段がモジュールに備えられることから、後方側への電波の指向性を極力抑制して前方側に電波の指向性を向けることができる。
【００１２】
また、好適には、上記手段は、上記スロットアンテナの後方に備えられた反射板である構成としても良い。このように構成されることで、後方側への電波の指向性を極力抑制して前方側に電波の指向性を適切に向けることができる。
【００１３】
また、好適には、上記手段は、上記スロットアンテナの後方に備えられると共に該スロットアンテナ側が開口された共振箱である構成としても良い。このように構成されることで、後方側への電波の指向性を極力抑制して前方側に電波の指向性を適切に向けることができる。
【００１４】
また、前記目的を達成するための別の発明は、表示パネルのビューエリアを取り囲むように金属製の枠部が配置されたモジュールを備えるテレビジョン装置において、前後方向に向かって開口するスロットアンテナが形成された金属板を上記枠部の前方側に備える構成としてある。
【００１５】
上記のように構成された本発明のテレビジョン装置において、前後方向に向かって開口するスロットアンテナが形成された金属板が表示パネルのビューエリアを取り囲む金属製の枠部の前方側に備えられることから、金属製の枠部を反射板として利用することができ、後方側への電波の指向性を極力抑制して前方側に電波の指向性を向けることができる。
【００１６】
さらに、前記目的を達成するための別の発明は、表示パネルのビューエリアを取り囲むように配置されると共に外周側が山部を前方側としてＬ字状に折り曲げられた金属製の枠部を具備したモジュールと、上記枠部におけるＬ字状の両面に跨るように開口部が形成されたスロットアンテナと、を備える構成としてある。
【００１７】
上記のように構成された本発明のテレビジョン装置において、金属製の枠部の外周側が山部を前方側として折り曲げられたＬ字状の両面に跨るように開口部が形成されたスロットアンテナが備えられることから、平面にスロットアンテナが形成されることに比較して、スロットアンテナの開口面積が広くなって帯域幅が広げられたり、前面方向の指向性の向きが広くなる。
【００１８】
また、好適には、上記スロットアンテナにおける電波の指向性を前方側に向ける手段を上記モジュールに備える構成としても良い。このように構成されることで、後方側への電波の指向性を極力抑制して前方側に電波の指向性を向けることができる。
【００１９】
また、好適には、上記手段は、上記スロットアンテナの後方に備えられた反射板である構成としても良い。このように構成されることで、後方側への電波の指向性を極力抑制して前方側に電波の指向性を適切に向けることができる。
【００２０】
また、好適には、上記手段は、上記スロットアンテナの後方に備えられると共に該スロットアンテナ側が開口された共振箱である構成としても良い。このように構成されることで、後方側への電波の指向性を極力抑制して前方側に電波の指向性を適切に向けることができる。
【００２１】
また、好適には、上記スロットアンテナの長辺は、上記枠部の周方向に沿って受信電波の半波長分の長さとされる構成としても良い。このように構成されることで、上記枠部を外側に広げることなく感度の良好なスロットアンテナが適切に形成される。
【００２２】
また、好適には、上記スロットアンテナは、少なくとも上記モジュールの左右両側の何れか一方に設けられる構成としても良い。このように構成されることで、少なくとも水平偏波の放送波に対して良好な受信感度が得られる。
【００２３】
また、好適には、上記スロットアンテナは、少なくとも上記モジュールの上下両側の何れか一方に設けられる構成としても良い。このように構成されることで、少なくとも垂直偏波の放送波に対して良好な受信感度が得られる。
【００２４】
また、好適には、上記スロットアンテナは、上記モジュールの左右両側にそれぞれ複数個設けられ、上記スロットアンテナの長辺は、上記枠部の周方向に沿って受信電波の半波長分の長さとされ、上記手段は、上記スロットアンテナの後方に備えられると共に該スロットアンテナ側が開口された共振箱であり、上記モジュールは、液晶パネルを備えた液晶モジュールである構成としても良い。このように構成されることで、液晶モジュールを備える液晶テレビジョン装置において、水平偏波の放送波に対して良好な受信感度が得られ、上記枠部を外側に広げることなく感度の良好なスロットアンテナが適切に形成され、後方側への電波の指向性を極力抑制して前方側に電波の指向性を適切に向けることができる。
【発明の効果】
【００２５】
以上説明したように、請求項１に記載の発明によれば、後方側への電波の指向性を極力抑制して前方側に電波の指向性を向けることができるので、モジュールにアンテナを組み込む際、前面方向の受信性能を一層向上させることができるテレビジョン装置が提供される。
また、本発明によれば、電波の指向性を前方側に向ける手段として上記スロットアンテナの後方に反射板或いは共振箱を備えることで、後方側への電波の指向性を極力抑制して前方側に電波の指向性を適切に向けることができるので、モジュールにアンテナを組み込む際、前面方向の受信性能を一層向上させることが確実に行われる。
【００２６】
また、本発明によれば、表示パネルのビューエリアを取り囲むように金属製の枠部が配置されたモジュールを備えるテレビジョン装置において、金属製の枠部を反射板として利用し、後方側への電波の指向性を極力抑制して前方側に電波の指向性を向けることができるので、モジュールにアンテナを組み込む際、前面方向の受信性能を一層向上させることができるテレビジョン装置が提供される。
【００２７】
また、本発明によれば、Ｌ字状の両面に跨るようにスロットアンテナが形成されることで、平面にスロットアンテナが形成されることに比較して、スロットアンテナの開口面積が広くなって帯域幅が広げられたり、前面方向の指向性の向きが広くなるので、モジュールにアンテナを組み込む際、前面方向の受信性能を一層向上させることができるテレビジョン装置が提供される。
また、本発明によれば、電波の指向性を前方側に向ける手段を備えることで、後方側への電波の指向性を極力抑制して前方側に電波の指向性を向けることができるので、前面方向の受信性能をより一層向上させることができる。
また、本発明によれば、電波の指向性を前方側に向ける手段として上記スロットアンテナの後方に反射板或いは共振箱を備えることで、後方側への電波の指向性を極力抑制して前方側に電波の指向性を適切に向けることができるので、モジュールにアンテナを組み込む際、前面方向の受信性能をより一層向上させることが確実に行われる。
【００２８】
また、本発明によれば、上記枠部を外側に広げることなく感度の良好なスロットアンテナが適切に形成されるので、スロットアンテナを形成するだけの為にモジュール自体を大きくする必要がなく、テレビジョン装置の大型化が抑制される。
【００２９】
また、本発明によれば、少なくとも上記モジュールの左右両側の何れか一方にスロットアンテナを設けることで、少なくとも水平偏波の放送波に対して良好な受信感度が得られるので、例えば水平偏波のテレビジョン放送信号（地上デジタル放送）の受信に対応することができる。
【００３０】
また、本発明によれば、少なくとも上記モジュールの上下両側の何れか一方にスロットアンテナを設けることで、少なくとも垂直偏波の放送波に対して良好な受信感度が得られるので、例えば垂直偏波の放送信号の受信に対応することができる。
【００３１】
また、本発明によれば、液晶モジュールを備える液晶テレビジョン装置において、水平偏波の放送波に対して良好な受信感度が得られ、上記枠部を外側に広げることなく感度の良好なスロットアンテナが適切に形成され、後方側への電波の指向性を極力抑制して前方側に電波の指向性を適切に向けることができるので、例えば水平偏波のテレビジョン放送信号（地上デジタル放送）の受信に対応することができ、スロットアンテナを形成するだけの為に液晶モジュール自体を大きくする必要がなく液晶テレビジョン装置の大型化が抑制され、液晶モジュールにアンテナを組み込む際、前面方向の受信性能を一層向上させることが確実に行われる。
【発明を実施するための最良の形態】
【００３２】
以下、図面にもとづいて本発明の実施形態を説明する。
（１）テレビジョン装置の概略構成
（２）液晶モジュールの構成
（３）変形例
（４）まとめ
【００３３】
（１）テレビジョン装置の概略構成
以下、図１及び図２を参照して本発明が適用されるテレビジョン装置の一例である液晶テレビジョン装置１０の概略構成を説明する。図１は液晶テレビジョン装置１０の一例を示す斜視図であり、図２は液晶テレビジョン装置１０のブロック構成図の一例である。尚、本発明が適用されるテレビジョン装置としては液晶テレビジョン装置１０の他に、プラズマテレビ、リアプロジェクションテレビ、有機ＥＬテレビ等の薄型テレビジョン装置が望ましいが、本発明の要旨を逸脱しない範囲で種々の変形実施の形態が可能である。具体的には、薄型テレビジョン装置でなくとも、スロットアンテナを内蔵するテレビジョン装置、例えば画面を取り囲む枠部にスロットアンテナが配置されてテレビジョン放送信号を受信するテレビジョン装置であれば本発明は適用され得る。
【００３４】
図１、図２において、液晶テレビジョン装置１０は、チューナ１１と、フロントエンド１２と、デコーダ１３と、ＯＳＤ回路１４と、音声出力部１５と、画像表示部１６と、リモコン受信部１７と、マイコン１８と、電源回路１９と、記憶部２０とを備えている。これらマイコン１８等の各部は、バス２１にて接続されている。
【００３５】
チューナ１１は、例えばアンテナ２２と接続されており、マイコン１８から入力される制御信号に従って、アンテナ２２で受信されるテレビジョン放送信号の中から１つのチャンネル（例えばユーザによって選局されたチャンネル）に対応するテレビジョン放送信号を取得してフロントエンド１２に出力する。
【００３６】
フロントエンド１２は、例えばマイコン１８から入力される制御信号に従って、チューナ１１から出力されたテレビジョン放送信号を中間周波信号に変換して、デコーダ１３に出力する。
【００３７】
デコーダ１３は、例えばマイコン１８から入力される制御信号に従って、フロントエンド１２から出力された中間周波信号に対して所定のファイル形式（例えばよく知られたＭＰＥＧ−２形式等）に応じた処理を施すことによって、その中間周波信号を音声信号と映像信号とに分離してデコードする。そして、そのデコードした音声信号を音声出力部１５へ出力するとともに、映像信号を画像表示部１６へ出力する。
【００３８】
ＯＳＤ回路１４は、例えばマイコン１８から入力される制御信号に従って、画像表示部１６に所定のＯＳＤ表示（オンスクリーンディスプレイ表示）をさせるためのＯＳＤ表示信号を、デコーダ１３から画像表示部１６へ出力される映像信号に合成する。
【００３９】
音声出力部１５は、例えば音声出力アンプＩＣ１５ａやスピーカ１５ｂなどを有し、音声出力アンプＩＣ１５ａによりデコーダ１３から入力された音声信号に電力増幅等の所定の処理を施して、その音声信号に基づく音声データに応じた音声をスピーカ１５ｂから出力する。
【００４０】
画像表示部１６は、例えばパネル駆動回路１６ａや液晶パネル１６ｂなどを有し、デコーダ１３から出力された映像信号に基づく画像データに応じた画像や、デコーダ１３から出力されてＯＳＤ回路１４によりＯＳＤ表示信号が合成された映像信号に基づく画像データに応じた画像を表示する。
【００４１】
リモコン受信部１７は、例えばリモコン２３から送信された各種信号（制御コマンド）を受信し、それら各種信号に基づく各種データをマイコン１８へ出力する。
【００４２】
リモコン２３は、例えばユーザによって操作され、その操作に応じた各種信号を例えば赤外線或いは電波を用いてリモコン受信部１７へ送信する。
【００４３】
マイコン１８は、例えばＣＰＵ１８ａやＲＡＭ１８ｂやＲＯＭ１８ｃなどを有し、液晶テレビジョン装置１０の動作を制御する。例えば、マイコン１８は、リモコン受信部１７で受信した制御コマンドに基づいて電源のオン／オフ、チャンネルの切換え、音量のアップ／ダウン等を制御する。
【００４４】
ＣＰＵ１８ａは、ＲＯＭ１８ｃに記憶された液晶テレビジョン装置１０用の各種処理プログラムに従って、各種の制御動作を行う。
ＲＡＭ１８ｂは、ＣＰＵ１８ａによって実行される処理プログラムなどを展開するためのプログラム格納領域や、入力データや上記処理プログラムが実行される際に生じる処理結果などを格納するデータ格納領域などを備える。
ＲＯＭ１８ｃは、液晶テレビジョン装置１０で実行可能なシステムプログラム、そのシステムプログラムで実行可能な各種処理プログラム、これら各種処理プログラムを実行する際に使用されるデータなどを記憶する。尚、プログラムは、コンピュータが読み取り可能なプログラムコードの形でＲＯＭ１８ｃに記憶されている。
【００４５】
電源回路１９は、例えば部分共振電源回路であり、商用ＡＣ電源を複数種類の所定の電圧に変換して液晶テレビジョン装置１０の各部へ動作電源電圧を出力する。
【００４６】
記憶部２０は、例えばＥＥＰＲＯＭ等の不揮発性半導体メモリで構成されており、放送信号に対応するチャンネル情報やユーザにより設定された各種調整値等を記憶する。
【００４７】
（２）液晶モジュールの構成
図３は、表示パネルとしての液晶パネル１６ｂのビューエリア３２を取り囲むように配置されると共に前後方向に向かって開口するスロットアンテナ３４が形成された金属製の枠部３６を具備したモジュールとしての液晶モジュール３０の一例を示す斜視図である。尚、液晶モジュール３０内の構造、液晶テレビジョン装置１０内への収納等については、例えば図７、８に示した液晶モジュール２と略同様であり、ここでは説明を省略する。
【００４８】
図３において、スロットアンテナ３４は、例えば水平偏波のテレビジョン放送信号（地上デジタル放送）の受信をするアンテナ素子であって、液晶モジュール３０の左右両側にそれぞれ複数個設けられている。本実施例では、スロットアンテナ３４は、枠部３６の左右両側にそれぞれ２個ずつ形成されている。
また、このスロットアンテナ３４の長辺３４ａは、例えば枠部３６の周方向に沿って受信電波の半波長分の長さとされる。この半波長分の長さは、例えば受信電波の波長帯の中心となる波長に対して設定するのが好ましい。また、スロットアンテナ３４の短辺３４ｂは、例えば受信電波の０．０１波長分の長さとされる。
また、スロットアンテナ３４への給電は長辺３４ａにおける所定の位置に対して行われ、この位置によってインピーダンス特性を変化させられる。
更に、複数のスロットアンテナ３４からの受信信号は合成されてチューナ１１に入力されても良いし、或いはまたよく知られた制御方法により何れか１つの受信信号が選択的に切り替えられてチューナ１１に入力されても良い。
【００４９】
液晶モジュール３０は、各スロットアンテナ３４における電波の指向性を前方側に向ける手段として各共振箱３８を備えている。
この共振箱３８は、例えば枠部３６に近接或いは接するようにスロットアンテナ３４の後方に備えられると共にスロットアンテナ３４側のみが開口された中空の閉じられた箱体（直方体）である。この共振箱３８の開口面積はスロットアンテナ３４の開口面積より大きく、スロットアンテナ３４の開口部分を共振箱３８にて全て塞ぐように共振箱３８を配置することが望ましい。また、共振箱３８の深さ（前後方向の長さ）は受信電波の半波長分の長さとされる。
【００５０】
このように液晶モジュール３０を構成することで、液晶モジュール３０（液晶テレビジョン装置１０）の後方側への電波の指向性を極力抑制して前方側に電波の指向性を適切に向けることができる。
また、長辺３４ａが枠部３６の周方向に沿って形成されるので、枠部３６を外側に広げることなく感度の良好なスロットアンテナ３４が適切に形成される。
また、スロットアンテナ３４は、液晶モジュール３０の左右両側にそれぞれ複数個設けられるので、短辺３４ｂと平行な方向すなわち水平偏波の放送波に対して良好な受信感度が得られる。
【００５１】
（３）変形例
（変形例１）図４は、各スロットアンテナ３４における電波の指向性を前方側に向ける手段を備える液晶モジュール４０の一例を示す斜視図である。
図４において、液晶モジュール４０は、共振箱３８に替えて、各スロットアンテナ３４における電波の指向性を前方側に向ける手段として各反射板４２を備えている。
この反射板４２は、例えば枠部３６に近接するようにスロットアンテナ３４の所定長Ｌ後方に備えられた平板金である。また、各スロットアンテナ３４に対して各１つの反射板４２を設けても良いが、図４に示すように左右のスロットアンテナ３４毎に各１つの反射板４２を設けても良い。もちろん、各反射板４２の面積は左右のスロットアンテナ３４毎の２つ分の開口面積より大きく、スロットアンテナ３４における後方側の指向方向を反射板４２にて全て塞ぐように反射板４２をスロットアンテナ３４と平行に配置することが望ましい。尚、上記所定長Ｌは、スロットアンテナ３４の受信感度が損なわれないための予め実験的に求められた距離である。
このように液晶モジュール４０を構成することでも、液晶モジュール４０（液晶テレビジョン装置１０）の後方側への電波の指向性を極力抑制して前方側に電波の指向性を適切に向けることができる。
【００５２】
（変形例２）図５は、液晶パネル１６ｂのビューエリア３２を取り囲むように金属製の枠部５２が配置された液晶モジュール５０の一例を示す斜視図である。
図５において、液晶モジュール５０は、前後方向に向かって開口するスロットアンテナ５４が形成された金属板５６を枠部５２の所定長Ｌ前方側に備えている。
スロットアンテナ５４は、例えば水平偏波のテレビジョン放送信号（地上デジタル放送）の受信をするアンテナ素子であり、長辺５４ａが例えば受信電波の半波長分の長さとされるように金属板５６に形成されている。
金属板５６は、各スロットアンテナ５４に対応してそれぞれ設けられても良いが、図５に示すように左右のスロットアンテナ５４毎に各１枚設けても良い。本実施例では、それぞれスロットアンテナ５４が２つずつ形成された左右両側各1枚の金属板５６が、枠部５２と平行に且つスロットアンテナ５４の長辺５４ａが枠部５２の周方向に沿うように配置されている。また、金属板５６は、スロットアンテナ５４の受信感度が損なわれないように、例えば樹脂等で枠部５２と一体的に固定されている。
このように液晶モジュール５０を構成することで、金属製の枠部５２を例えば反射板として利用することができ、液晶モジュール５０（液晶テレビジョン装置１０）の後方側への電波の指向性を極力抑制して前方側に電波の指向性を向けることができる。
【００５３】
（変形例３）図６は、液晶パネル１６ｂのビューエリア３２を取り囲むように金属製の枠部６２が配置された液晶モジュール６０の一例を示す斜視図である。
図６において、枠部６２は、外周側が山部６２ｃを前方側としてＬ字状に折り曲げ加工されている。そして、この枠部６２には、上記Ｌ字状の両面６２ａ、ｂに跨るように開口部が形成されたスロットアンテナ６４が設けられている。
スロットアンテナ６４は、例えば水平偏波のテレビジョン放送信号（地上デジタル放送）の受信をするアンテナ素子であって、液晶モジュール６０の左右両側にそれぞれ複数個設けられている。本実施例では、スロットアンテナ６４は、枠部６２の左右両側にそれぞれ２個ずつ形成されている。また、スロットアンテナ６４の長辺６４ａは、例えば枠部６２の周方向に沿って受信電波の半波長分の長さとされるように形成されている。
このように液晶モジュール６０を構成することで、平面にスロットアンテナが形成されることに比較して、スロットアンテナ６４の開口面積が広くなって周波数帯域幅が広げられたり、前面方向の指向性の向きが広くなる。
【００５４】
（４）まとめ
上述のように、本実施例によれば、液晶モジュール３０（液晶テレビジョン装置１０）の後方側への電波の指向性を極力抑制して前方側に電波の指向性を向けることができるので、液晶モジュール３０にスロットアンテナ３４を組み込む際、前面方向の受信性能を一層向上させることができる液晶テレビジョン装置１０が提供される。
また、電波の指向性を前方側に向ける手段としてスロットアンテナ３４の後方に反射板４２或いは共振箱３８を備えることで、後方側への電波の指向性を極力抑制して前方側に電波の指向性を適切に向けることができるので、液晶モジュール３０にスロットアンテナ３４を組み込む際、前面方向の受信性能を一層向上させることが確実に行われる。
また、枠部３６を外側に広げることなく感度の良好なスロットアンテナ３４が適切に形成されるので、スロットアンテナ３４を形成するだけの為に液晶モジュール３０自体を大きくする必要がなく、液晶テレビジョン装置１０の大型化が抑制される。
また、水平偏波の放送波に対して良好な受信感度が得られるので、例えば水平偏波のテレビジョン放送信号（地上デジタル放送）の受信に対応することができる。
【００５５】
また、本実施例によれば、金属製の枠部５２を反射板として利用し、液晶モジュール５０（液晶テレビジョン装置１０）の後方側への電波の指向性を極力抑制して前方側に電波の指向性を向けることができるので、液晶モジュール５０にスロットアンテナ５４を組み込む際、前面方向の受信性能を一層向上させることができる液晶モジュール５０が提供される。
【００５６】
また、本実施例によれば、Ｌ字状の両面６２ａ、ｂに跨るようにスロットアンテナ６４が形成されることで、平面にスロットアンテナが形成されることに比較して、スロットアンテナ６４の開口面積が広くなって周波数帯域幅が広げられたり、前面方向の指向性の向きが広くなるので、液晶モジュール６０にスロットアンテナ６４を組み込む際、前面方向の受信性能を一層向上させることができる液晶テレビジョン装置１０が提供される。
【００５７】
以上、本発明の実施例を図面に基づいて詳細に説明したが、本発明はその他の態様においても適用される。
【００５８】
例えば、前述の実施例（変形例３）において、スロットアンテナ６４における電波の指向性を前方側に向ける手段を液晶モジュール６０に備える構成としても良い。このように構成されることで、液晶モジュール６０（液晶テレビジョン装置１０）の後方側への電波の指向性を極力抑制して前方側に電波の指向性を向けることができる。よって、前面方向の受信性能をより一層向上させることができる。
例えば、上記手段は、液晶モジュール４０に備えられた反射板４２と同様のスロットアンテナ６４の後方に備えられた反射板である構成としても良い。或いはまた、上記手段は、液晶モジュール３０に備えられた共振箱３８と同様のスロットアンテナ６４の後方に備えられると共にスロットアンテナ６４側が開口された共振箱である構成としても良い。このように構成されることで、液晶モジュール６０（液晶テレビジョン装置１０）後方側への電波の指向性を極力抑制して前方側に電波の指向性を適切に向けることができる。よって、液晶モジュール６０にスロットアンテナ６４を組み込む際、前面方向の受信性能をより一層向上させることが確実に行われる。
これとは別に、Ｌ字状の両面に跨るように開口部が形成されたスロットアンテナ６４を液晶モジュール６０の４つの角に配置しても良い。このようにすれば、４方向の指向性が向上させられる。
【００５９】
また、前述の実施例では、スロットアンテナ３４、５４、６４は、液晶モジュール３０、４０、５０、６０の左右両側にそれぞれ２個ずつ形成されていたが、このスロットアンテナ３４、５４、６４は、少なくとも液晶モジュール３０、４０、５０、６０の左右両側の何れか一方に設けられる構成としても良い。このように構成されることでも、少なくとも水平偏波の放送波に対して一応の良好な受信感度が得られる。よって、例えば水平偏波のテレビジョン放送信号（地上デジタル放送）の受信に対応することができるという一応の効果は得られる。
【００６０】
また、好適には、スロットアンテナ３４、５４、６４を、少なくとも液晶モジュール３０、４０、５０、６０の上下両側の何れか一方に設ける構成としても良い。このように構成することで、少なくとも垂直偏波の放送波に対して一応の良好な受信感度が得られる。よって、例えば垂直偏波の放送信号の受信に対応することができるという一応の効果が得られる。
【００６１】
なお、上述したのはあくまでも一実施形態であり、本発明は当業者の知識に基づいて種々の変更、改良を加えた態様で実施することができる。
【図面の簡単な説明】
【００６２】
【図１】本発明が適用される液晶テレビジョン装置の一例を示す斜視図である。
【図２】液晶テレビジョン装置の構成を例示するブロック図である。
【図３】液晶パネルのビューエリアを取り囲むように配置されると共に前後方向に向かって開口するスロットアンテナが形成された金属製の枠部を具備した液晶モジュールの一例を示す斜視図である。
【図４】各スロットアンテナにおける電波の指向性を前方側に向ける手段を備える液晶モジュールの一例を示す斜視図である。
【図５】液晶パネルのビューエリアを取り囲むように金属製の枠部が配置された液晶モジュールの一例を示す斜視図である。
【図６】液晶パネルのビューエリアを取り囲むように金属製の枠部が配置された液晶モジュールの一例を示す斜視図である。
【図７】液晶テレビジョン装置の従来例を示す分解斜視図である。
【図８】液晶モジュールの従来例を示す分解斜視図である。
【符号の説明】
【００６３】
１０：液晶テレビジョン装置（テレビジョン装置）
１６ｂ：液晶パネル（表示パネル）
３０、４０、５０、６０：液晶モジュール（モジュール）
３２：ビューエリア
３４、５４、６４：スロットアンテナ
３４ａ、５４ａ、６４ａ：長辺
３６、５２、６２：枠部
３８：共振箱（手段）
４２：反射板（手段）
５６：金属板
６２ａ、ｂ：Ｌ字状の両面
６２ｃ：山部 
【図１】
2009094864.tif 000003
【図２】
2009094864.tif 000004
【図３】
2009094864.tif 000005
【図４】
2009094864.tif 000006
【図５】
2009094864.tif 000007
【図６】
2009094864.tif 000008
【図７】
2009094864.tif 000009
【図８】
2009094864.tif 000010